(57)【要約】【課題】本発明は、敷設された配線や配管などの設備の経路を容易に確認することができる配線配管管理システムを提供することを目的とする。【解決手段】パーソナルコンピュータ１が、配線図を格子状に複数の領域に分割し、指定された配線の通る領域の識別情報により該配線のルート情報を作成し、分割した配線図とルート情報をハンディターミナル２に転送して、ハンディターミナル２を施工現場に持ち込み、配線図と異なる配線をした場合、ハンディターミナル２上で修正された配線図により、指定された配線の通る領域の識別情報により該配線のルート情報を作成してルート情報を修正し、修正されたルート情報、図面番号などをＲＦＩＤタグ３に書き込んで、当該配線に取り付けておく。また、ハンディターミナル２が、ＲＦＩＤタグ３の情報を読み込んで、配線図上に配線の経路を分割した領域により表示する。【選択図】図１
2007272508.tif 000002
【特許請求の範囲】
【請求項１】
図面データを管理するコンピュータと、該コンピュータから必要なデータを読み込んで施工現場に持ち込まれるハンディターミナルとを備える配線配管管理システムにおいて、
コンピュータが、配線または配管の敷設状態を表示した図面を複数の領域に分割して分割図面を作成し、該分割図面上で指定された前記配線または配管が通っている前記分割された領域の識別情報により該配線または配管の経路を示すルート情報を作成するステップ、
ハンディターミナルが、コンピュータから前記分割図面およびルート情報を読み込むステップ、
ハンディターミナルが、前記配線、配管、前記配線または配管に接続された設備に取り付けられたＩＣタグに、該配線または配管の前記ルート情報を書き込むステップ、
ハンディターミナルが、前記ＩＣタグに書き込まれた情報を読み取って、前記ルート情報に基づいて、前記分割図面上に前記分割された領域による前記配線または配管の経路を表示するステップ、
を実行することを特徴とする配線配管管理方法。
【請求項２】
ハンディターミナルが、前記分割図面に表示された前記配線または配管の敷設状態を指示により変更するステップ、
ハンディターミナルが、前記変更された分割図面上で指定された前記配線または配管が通っている前記分割された領域の識別情報により該配線または配管の経路を示すルート情報を作成するステップ、
を更に実行することを特徴とする請求項１に記載の配線配管管理方法。
【請求項３】
図面データを管理するコンピュータと、該コンピュータから必要なデータを読み込んで施工現場に持ち込まれるハンディターミナルとを備える配線配管管理システムにおいて、
コンピュータが、配線または配管の敷設状態を表示した図面を複数の領域に分割して分割図面を作成し、該分割図面上で指定された前記配線または配管が通っている前記分割された領域の識別情報により該配線または配管の経路を示すルート情報を作成するステップ、
ハンディターミナルが、コンピュータから前記分割図面およびルート情報を読み込むステップ、
ハンディターミナルが、前記配線、配管、前記配線または配管に接続された設備に取り付けられたＩＣタグに、該ＩＣタグを識別する情報を書き込むとともに、該識別情報と該配線または配管の前記ルート情報を関連付けて記憶するステップ、
ハンディターミナルが、前記ＩＣタグから前記識別情報を読み取って、該識別情報に関連付けられたルート情報に基づいて、前記分割図面上に前記分割された領域による前記配線または配管の経路を表示するステップ、
を実行することを特徴とする配線配管管理方法。
【請求項４】
配線または配管の敷設状態を表示した図面を管理し、前記配線または配管の敷設状態を表示した図面を複数の領域に分割して分割図面を作成し、前記配線または配管が通っている前記分割された領域の識別情報により該配線または配管の経路を示すルート情報を作成するコンピュータと、
前記分割図面およびルート情報を前記コンピュータから取り込み、前記配線、配管、前記配線または配管が接続された設備に取り付けられたＩＣタグに、該配線または配管の前記ルート情報を書き込む一方、前記ＩＣタグに書き込まれた情報を読み取って、前記ルート情報に基づいて、前記分割図面上に前記分割された領域による前記配線または配管の経路を表示するハンディターミナルと、
を備えたことを特徴とする配線配管管理システム。
【請求項５】
配線または配管の敷設状態を表示した図面を管理し、前記配線または配管の敷設状態を表示した図面を複数の領域に分割して分割図面を作成し、前記配線または配管が通っている前記分割された領域の識別情報により該配線または配管の経路を示すルート情報を作成するコンピュータと、
前記分割図面およびルート情報を前記コンピュータから取り込み、前記配線、配管、前記配線または配管が接続された設備に取り付けられたＩＣタグに、該ＩＣタグを識別する情報を書き込むとともに、該識別情報と該配線または配管の前記ルート情報を関連付けて記憶する一方、前記ＩＣタグから前記識別情報を読み取って、該識別情報に関連付けられたルート情報に基づいて、前記分割図面上に前記分割された領域による前記配線または配管の経路を表示するハンディターミナルと、
を備えたことを特徴とする配線配管管理システム。
【発明の詳細な説明】
【技術分野】
【０００１】
本発明は、敷設された配線や配管などの敷設状態を管理する配線配管管理方法に関する。
【背景技術】
【０００２】
従来、ビル構内や宅内等で敷設される配線や配管設備は、接続される設備の移動や撤去、配線または配管の引き回しの変更などにより変更される。
【０００３】
このような配線または配管設備の変更作業は、図面（例えば、電気配線であれば、レイアウト図面、設備間配線図、盤内配線図）を元に行われる。この図面は、近年ではＣＡＤ（Computer Aided Design）で作成されたものが主流となっている。
【０００４】
上述したように、配線または配管設備は、当初に施工された後、変更されている場合があるが、このような変更の情報が全て最新の図面に反映されている訳ではない。
【０００５】
従って、例えば電気配線の設備の移設の場合、配線作業者は、まず当該設備をレイアウト図面で確認して、その場所に行って現物を確認する。
【０００６】
次に、配線図面で、どの分電盤から配線されているかを設備間配線図や現地の責任者に聞き込みなどして分電盤を確認して、分電盤の端子台もしくはブレーカーの端子やブレーカー取付部分に貼られたラベルで当該設備に行っている配線を確認する。
【０００７】
以上のような確認作業を行って、電源の切断、配線外し、設備の移設、配線接続、電源投入などの施工を行う。
【０００８】
施工後に、配線経路、設備の位置、分電盤の違いなどを修正した図面を管理部門にフィードバックして最新のＣＡＤ図面やその他の手段で作成された図に反映させて管理するべきであるが、完全にされていないのが実情である。
【０００９】
従って、次に設備を導入したり、移設、撤去したりする場合、ほとんどの場合には上記と同様の作業を行っている。
【００１０】
従って、施工現場では、設備の配線ルートの確認や分電盤の特定に多くの時間を費やしているが、それでも誤配線や誤切断で稼働中の設備を止めたり通信を止めたりする事故が発生している。
【００１１】
このような配線設備の変更の作業において、配線や接続物品などの設備に識別情報を書き込まれたＩＣタグを貼付し（配線には一定間隔で貼付する）、ＩＣタグの識別情報に関連付けて貼付した設備の情報や同じ設備（主に配線）内での順番などの情報を管理しておき、ＩＣタグリーダにより所定範囲内のＩＣタグの識別情報を読み出し、読み出した識別情報と管理情報に基づきＩＣタグの接続情報を作成し、接続情報を参照しながらＩＣタグリーダにより所定範囲内のＩＣタグの識別情報を読み出していくことで配線経路を探索することが提案されている（例えば、特許文献１参照）。
【特許文献１】特開２００４−３８５８３号公報
【発明の開示】
【発明が解決しようとする課題】
【００１２】
しかしながら、このような配線経路探索方法では、結局は配線の経路を辿らなければならず、配線経路探索に時間がかかってしまう。
【００１３】
また、壁の中や柱の周辺などでＩＣタグに電波が届かないところでは、経路を見失ってしまう恐れがある。
【００１４】
そこで、本発明は、敷設された配線や配管などの設備の経路を容易に確認することができる配線配管管理システムを提供することを目的とする。
【課題を解決するための手段】
【００１５】
上記課題を解決する発明は、配線または配管の敷設状態を表示した図面を複数の領域に分割して分割図面を作成し、該分割図面上で指定された前記配線または配管が通っている前記分割された領域の識別情報により該配線または配管の経路を示すルート情報を作成し、この分割図面およびルート情報をハンディターミナルに読み込み、このハンディターミナルにより、前記配線、配管、前記配線または配管が接続された設備に取り付けられたＩＣタグに、該配線または配管の前記ルート情報を書き込む一方、前記ＩＣタグに書き込まれた情報を読み取って、前記ルート情報に基づいて、前記分割図面上に前記分割された領域による前記配線または配管の経路を表示することを特徴とするものである。
【００１６】
この発明では、ハンディターミナルによりＩＣタグに配線または配管のルート情報が書き込まれ、ハンディターミナルによりＩＣタグから情報が読み取られ、配線または配管の経路が分割図面上に表示される。したがって、容易に配線または配管の経路を確認できる。
【００１７】
ここで、ハンディターミナルが、前記分割図面に表示された前記配線または配管の敷設状態を指示により変更し、前記変更された分割図面上で指定された前記配線または配管が通っている前記分割された領域の識別情報により該配線または配管の経路を示すルート情報を作成することとした。
【００１８】
このようにすれば、施工現場での変更をハンディターミナルにより分割図面に反映させ、変更された分割図面からルート情報を作成することができる。
【００１９】
さらに、ハンディターミナルで変更された前記分割図面の情報を図面データを管理するコンピュータに読み込ませ、前記管理している図面データに、前記ハンディターミナルでの変更を反映させることとした。
【００２０】
このようにすれば、施工現場での図面の変更を容易に管理図面データに反映させることができ、容易に管理図面データを最新の状態に保つことができる。
【００２１】
上記課題を解決する発明は、配線または配管の敷設状態を表示した図面を複数の領域に分割して分割図面を作成し、該分割図面上で指定された前記配線または配管が通っている前記分割された領域の識別情報により該配線または配管の経路を示すルート情報を作成し、この分割図面およびルート情報をハンディターミナルに読み込み、このハンディターミナルにより、前記配線、配管、前記配線または配管が接続された設備に取り付けられたＩＣタグに、該ＩＣタグを識別する情報を書き込むとともに、該識別情報と該配線または配管の前記ルート情報を関連付けて記憶する一方、前記ＩＣタグから前記識別情報を読み取って、該識別情報に関連付けられたルート情報に基づいて、前記分割図面上に前記分割された領域による前記配線または配管の経路を表示することを特徴とするものである。
【００２２】
この発明では、ハンディターミナルによりＩＣタグにＩＣタグを識別する情報が書き込まれるとともに、該識別情報と配線または配管のルート情報が関連付けられて記憶され、ハンディターミナルによりＩＣタグから識別情報が読み取られ、該識別情報に関連付けられたルート情報に基づいて配線または配管の経路が分割図面上に表示される。したがって、ＩＣタグの使用メモリ量を削減できるとともに、容易に配線または配管の経路を確認できる。
【発明の効果】
【００２３】
本発明によれば、ＩＣタグに配線または配管のルート情報を書き込み、ハンディターミナルによりＩＣタグから情報を読み取って、分割図面上に配線または配管の経路を表示しているので、容易に配線または配管の経路を確認できる。
【００２４】
また、ハンディターミナルにより分割図面を変更させ、変更された分割図面からルート情報を作成するようにすれば、施工現場での変更をハンディターミナルにより分割図面およびルート情報に反映させることができ、変更したルート情報をＩＣタグに記憶させておくことができる。
【００２５】
また、ハンディターミナルで変更された前記分割図面の情報をパーソナルコンピュータで管理する図面データに反映させるようにすれば、施工現場での図面の変更を容易に管理図面データに反映させることができ、容易に管理図面データを最新の状態に保つことができる。
【００２６】
また、ＩＣタグにＩＣタグを識別する情報のみを書き込み、該識別情報にルート情報を関連付けて記憶し、ハンディターミナルによりＩＣタグから識別情報を読み取って、該識別情報に関連付けられたルート情報に基づいて分割図面上に配線または配管の経路を表示するようにすれば、ＩＣタグの使用メモリ量を削減することができるとともに、容易に配線または配管の経路を確認できる。
【発明を実施するための最良の形態】
【００２７】
以下、本発明を図面を参照して説明する。
【００２８】
図１は本発明の第１実施形態の配線配管管理システムを示す図である。
【００２９】
図１において、本実施形態の配線配管管理システムは、図面データを管理するパーソナルコンピュータ（ＰＣ）１と、ＰＣ１の図面情報を読み込み、施工の現場に持ち込まれるハンディターミナル２と、配線または配管のルート情報などを書き込まれ、配線（または配管）４に取り付けられるＲＦＩＤ（Radio Frequency IDentification）タグ３とを備えている。
【００３０】
ハンディターミナル２は、ＣＡＤで作成された配管または配線図を画面に表示することができ、配管または配線図を画面上で修正することもできる。また、ＲＦＩＤタグ３のリーダライタ機能を備え、ＲＦＩＤタグ３に書き込まれた情報を読み出したり、保存または作成した情報をＲＦＩＤタグ３に書き込んだりすることができるようになっている。
【００３１】
図２は、ＰＣ１に保存されている、ＣＡＤで作成された配管図である。このような配管図から配管のルートを示すルート情報を作成する手順を説明する。
【００３２】
図３は、ＰＣ１で、配管（配線）図からルート情報を作成する処理を説明するためのフローチャートである。
【００３３】
ＰＣ１は、図２に示すような配管図が選択され、ルート情報作成が選択されると、図３に示すように、図４に示すような画面を出力して、配管（配線）図を縦横方向に分割するための分割数の入力を要求する（Ｓ１１）。
【００３４】
分割数が入力されると、ＰＣ１は、図５に示すように、配管（配線）図のＣＡＤデータに新しいレイアを起こし（Ｓ１２）、新しいレイアを入力された分割数に分割して、縦横方向のそれぞれの分割単位に識別情報（例えば、横方向は１、２、３、…、縦方向はａ、ｂ、ｃ、…）を付与した分割情報を作成し（Ｓ１３）、ルート情報を作成する配管または配線を順に指定することを要求する（Ｓ１４）。
【００３５】
そして、マウスなどにより指定された配管または配線の通るルートを識別する情報（縦横の識別情報の組）を列記したルート情報を分割情報に基づいて作成する（Ｓ１５）。
【００３６】
配管または配線の指定の終了が指示されたかを判定し（Ｓ１６）、終了が指示されていなければ、Ｓ１４に戻り、配管または配線を指定することを要求する。
【００３７】
終了が指示されると、分割情報を含んだ配管（配線）図と作成したルート情報を関連付けてＣＡＤ図面管理データベースに保存する（Ｓ１７）。
【００３８】
図５に示すような配管図および分割情報の場合、マウスなどにより、配管イが指定されると、(BDA,f1,e1,d1-d2,c1,b1,a1,BDB)というルート情報が作成される。ここで、BDAは分電盤Ａ、BDBは分電盤Ｂ、d1-d2はd1からd2に分岐があることを示している。
【００３９】
続いて、ロが指定されるとルート情報は、(BDA,f1,e1,d1-d2,c1,b1,a1,BDB)(d1-d2,d3,d4)となり、ハ、ニ、ホと指定され終了が指示されると、(BDA,f1,e1,d1-d2,c1,b1,a1,BDB)(d1-d2,d3,d4)(d4,c4,b4)(b4,b5,b6-a6-c6)(b6-a6,MAC)(b6-c6,MAD)というルート情報が作成される。なお、MACは装置Ｃを、MADは装置Ｄを示している。
【００４０】
また、配線のルート情報を作成する場合（図５に示すような配管図の配管の中を通る配線や配線図の配線のルート情報）は、配線が接続されている設備（分電盤や装置）から配線の通る順に配管または配線をマウスなどにより指定させ、接続先の設備を指定されたら、指定された配管または配線の通るルートを識別する情報を列記したルート情報を作成する。
【００４１】
図５に示すような配管図および分割情報で分電盤Ａと装置Ｃを接続する配線の場合、分電盤Ａ、イと指定されると、(BDA,f1,e1,d1-d2,c1,b1,a1,BDB)というルート情報が作成され、続いてロが指定されるとルート情報は、(BDA,f1,e1,d1-d2)(d1-d2,d3,d4)となり、ハ、ニ、ホと指定されるとルート情報は、(BDA,f1,e1,d1-d2)(d1-d2,d3,d4)(d4,c4,b4)(b4,b5,b6-a6-c6)(b6-a6,MAC)(b6-c6,MAD)となり、最後に装置Ｃが指定されると、(BDA,f1,e1,d1-d2)(d1-d2,d3,d4)(d4,c4,b4)(b4,b5,b6-a6-c6)(b6-a6,MAC)というルート情報が作成される。
【００４２】
このようにして作成した分割情報を含んだ配管図とルート情報をＰＣ１からハンディターミナル２に送信して、ハンディターミナル２を施工現場に持ち込む。
【００４３】
施工現場では、ハンディターミナル２の画面上で配管図を参照しながら作業を進め、図面通りに施工できない場合、図面とは異なる施工を行うことになる。
【００４４】
例えば、図２に示すような配管図の場合で、柱と梁の部分に配管できるスペースがない場合、図６に示すように、ハを通るルート（点線のルート）をやめ、へを通る実線のルートに変更した場合、図７のフローチャートに示すように配管図およびルート情報を変更する。
【００４５】
ハンディターミナル２は、図５に示すような配管図が選択され、配管ルートの変更が選択されると、図７に示すように、配管図の配管レイアの配管情報を読み取り、配管ルートの変更を受け付ける変更処理を実行する（Ｓ２１）。
【００４６】
配管レイアの配管情報の修正が終了すると、ハンディターミナル２は、変更後の配管ルートに分割情報を含んだ配管図を表示し、ルート情報変更のため、上述のルート情報作成の場合と同様に、ルート情報を作成する配管または配線を順に指定することを要求する（Ｓ２２）。
【００４７】
そして、画面上のタップなどにより指定された配管または配線の通るルートを識別する情報（縦横の識別情報の組）を列記したルート情報を分割情報に基づいて作成する（Ｓ２３）。
【００４８】
配管または配線の指定の終了が指示されたかを判定し（Ｓ２４）、終了が指示されていなければ、Ｓ２２に戻り、配管または配線を指定することを要求する。
【００４９】
終了が指示されると、分割情報を含んだ配管（配線）図と作成したルート情報を関連付けて保存する（Ｓ２５）。
【００５０】
このようにして作成・変更されたルート情報は、ＲＦＩＤタグ３に書き込まれ、配線、配管、配管または配線の接続されている分電盤や装置に取り付けられる。
【００５１】
具体的には、ハンディターミナル２は、タグへの書込が選択されると、図８のフローチャートに示すように、配管図を表示し、ＲＦＩＤタグ３を取り付ける配線、配管、分電盤や装置などの設備の指定を要求する（Ｓ３１）。
【００５２】
画面上のタップなどにより設備が指定されると、取り付けるＲＦＩＤタグ３のタグ番号の入力を要求する（Ｓ３２）。
【００５３】
タグ番号が入力されると、指定された設備に関連するルート情報を検索して読み出し、入力されたタグ番号、検索されたルート情報、図面番号、施工年月日、設置場所情報などをＲＦＩＤタグ３に書き込む（Ｓ３３）。
【００５４】
そして、情報が書き込まれたＲＦＩＤタグ３を対応する設備に取り付ける。
【００５５】
このように、施工現場での変更をＲＦＩＤタグ３に容易に書き込むことができ、施工現場での変更があった場合に、変更後の情報をＲＦＩＤタグ３に書き込まないと作業終了の承認が得られないようにすれば、設備に最新のルート情報を記憶したＲＦＩＤタグ３が取り付けられる。
【００５６】
このようにしてＲＦＩＤタグ３に書き込まれた情報は、後日、設備のメンテナンスや配管または配線の変更時にハンディターミナル２に読み込んで配管または配線情報を表示させることができる。
【００５７】
ハンディターミナル２は、タグ情報の読込が選択されると、図９に示すように、ＲＦＩＤタグ３の情報を読み出す（Ｓ４１）。
【００５８】
読み出した情報の図面番号をキーに該当ＣＡＤ図面を呼び出し（Ｓ４２）、読み出した情報のルート情報に基づいてＣＡＤ図面上に配線情報を表示する（Ｓ４３）。
このように、ＲＦＩＤタグ３から読み出された情報に基づいて、ハンディターミナル２の画面に分割情報を含むＣＡＤ図面が表示され、このＣＡＤ図面上に配管または配線のルートが、分割されたエリア単位で表示される。
【００５９】
この表示に基づいて、配管または配線の大まかなルートを把握することができ、配管または配線ルートの確認時間を短縮することができる。
【００６０】
次に、変更された配管（配線）図の情報を、ハンディターミナル２からＰＣ１に送信して、ＰＣ１のＣＡＤ図面管理データベースを修正することができる。
【００６１】
ＰＣ１は、ハンディターミナル２の情報読込が選択されると、図１０に示すように、ネットワークやケーブルにより接続されたハンディターミナル２内の配管図の情報を読み込む（Ｓ５１）。
【００６２】
読み込んだ配管図の図面番号よりＣＡＤ図面管理データベースから該当ＣＡＤ図面を読み出す（Ｓ５２）。
【００６３】
読み出した図面の配管（配線）レイアの配管（配線）情報をハンディターミナル２から読み込んだ配管図の配管（配線）レイアの配管（配線）情報に置き換える（Ｓ５３）。
【００６４】
読み出した図面のルート情報をハンディターミナル２から読み込んだ配管図のルート情報に置き換える（Ｓ５４）。
【００６５】
修正したデータをＣＡＤ図面管理データベースに書き込む（Ｓ５５）。
【００６６】
このように、ハンディターミナル２の配管または配線図の情報をＰＣ１が管理する配管または配線図の情報に容易に反映させることができ、変更後の情報によりＰＣ１のＣＡＤ図面を修正しないと作業終了の承認が得られないようにすれば、ＰＣ１のＣＡＤ図面を最新の状態に保つことができる。
【００６７】
次に、本発明の第２実施形態の配線配管管理システムを説明する。なお、本実施形態は、上述第１実施形態と略同様に構成されているので、図１を流用して特徴部分のみ説明する。
【００６８】
本実施形態の配線配管管理システムは、ＲＦＩＤタグ３には、タグ番号のみを書き込んでおき、ハンディターミナル２またはＰＣ１にタグ番号毎に設備の位置、ルート情報、図面番号などを関連付けて記憶しておき、タグ番号をキーに呼び出せるようにすることを特徴としている。
【００６９】
具体的には、上述の実施の形態と同様にして、ＰＣ１において分割情報を含んだ配管図とルート情報が作成され、ハンディターミナル２に送信され、施工現場に持ち込まれる。
【００７０】
施工現場で、配管の変更があれば配管図とルート情報が変更され、ＲＦＩＤタグ３にタグ番号を書き込む。
【００７１】
ＲＦＩＤタグ３への書き込みは、図８のフローチャートと同様に、ハンディターミナル２は、タグへの書込が選択されると、配管図を表示し、ＲＦＩＤタグ３を取り付ける配線、配管、分電盤や装置などの設備の指定を要求し、設備が指定されると、タグ番号の入力を要求する（Ｓ３１、Ｓ３２）。
【００７２】
タグ番号が入力されると、入力されたタグ番号を表示している図面に関連付けて記憶し、指定された設備に関連するルート情報を検索して読み出し、検索されたルート情報、図面番号、施工年月日、設置場所情報などを入力されたタグ番号に関連付けて記憶し、ＲＦＩＤタグ３に入力されたタグ番号のみを書き込む。
【００７３】
そして、タグ番号が書き込まれたＲＦＩＤタグ３を対応する設備に取り付ける。
【００７４】
ＲＦＩＤタグ３の情報を読み出す場合、ハンディターミナル２は、タグ情報の読み込みが選択されると、図１１のフローチャートに示すように、ＲＦＩＤタグ３の情報を読み出す（Ｓ６１）。
【００７５】
次いで、読み込んだタグ番号をキーに該当ＣＡＤ図面およびルート情報を呼び出し（Ｓ６２）、呼び出した情報をもとに、ＣＡＤ図面上に配線情報を表示する（Ｓ６３）。
【００７６】
このように、ＲＦＩＤタグ３に書き込まれたタグ番号からＣＡＤ図面やルート情報が呼び出され、呼び出された情報に基づいて、ハンディターミナル２の画面に分割情報を含むＣＡＤ図面が表示され、このＣＡＤ図面上に配管または配線のルートが、分割されたエリア単位で表示される。
【００７７】
また、ハンディターミナル２で記憶している図面に関連付けられたタグ番号とタグ番号に関連付けられた情報は、図面の情報と同様にしてハンディターミナル２からＰＣ１に送信され、ＰＣ１で図面とともに管理され、図面がハンディターミナル２に送信されるとき関連付けられたタグ番号とそのタグ番号に関連付けられた情報も一緒に送信され、施工現場でＲＦＩＤタグ３からタグ番号を読み込んだときにルート情報を表示できるようになる。
【００７８】
本実施形態においては、ＲＦＩＤタグ３にはタグ番号のみを書き込み、タグ番号に関連付けられた情報は、ハンディターミナル２やＰＣ１で管理するようにしたので、ＲＤＩＦタグ３に記憶する情報量を少なくすることができ、ＲＦＩＤタグ３の使用メモリ量を削減することができる。
【００７９】
（付記１）
図面データを管理するコンピュータと、該コンピュータから必要なデータを読み込んで施工現場に持ち込まれるハンディターミナルとを備える配線配管管理システムにおいて、
コンピュータが、配線または配管の敷設状態を表示した図面を複数の領域に分割して分割図面を作成し、該分割図面上で指定された前記配線または配管が通っている前記分割された領域の識別情報により該配線または配管の経路を示すルート情報を作成するステップ、
ハンディターミナルが、コンピュータから前記分割図面およびルート情報を読み込むステップ、
ハンディターミナルが、前記配線、配管、前記配線または配管に接続された設備に取り付けられたＩＣタグに、該配線または配管の前記ルート情報を書き込むステップ、
ハンディターミナルが、前記ＩＣタグに書き込まれた情報を読み取って、前記ルート情報に基づいて、前記分割図面上に前記分割された領域による前記配線または配管の経路を表示するステップ、
を実行することを特徴とする配線配管管理方法。
【００８０】
（付記２）
ハンディターミナルが、前記分割図面に表示された前記配線または配管の敷設状態を指示により変更するステップ、
ハンディターミナルが、前記変更された分割図面上で指定された前記配線または配管が通っている前記分割された領域の識別情報により該配線または配管の経路を示すルート情報を作成するステップ、
を更に実行することを特徴とする付記１に記載の配線配管管理方法。
【００８１】
（付記３）
コンピュータが、ハンディターミナルで変更された前記分割図面の情報を読み込むステップ、
コンピュータが、前記管理している図面データに、前記ハンディターミナルでの変更を反映させるステップ、
を更に実行することを特徴とする付記２に記載の配線配管管理方法。
【００８２】
（付記４）
図面データを管理するコンピュータと、該コンピュータから必要なデータを読み込んで施工現場に持ち込まれるハンディターミナルとを備える配線配管管理システムにおいて、
コンピュータが、配線または配管の敷設状態を表示した図面を複数の領域に分割して分割図面を作成し、該分割図面上で指定された前記配線または配管が通っている前記分割された領域の識別情報により該配線または配管の経路を示すルート情報を作成するステップ、
ハンディターミナルが、コンピュータから前記分割図面およびルート情報を読み込むステップ、
ハンディターミナルが、前記配線、配管、前記配線または配管に接続された設備に取り付けられたＩＣタグに、該ＩＣタグを識別する情報を書き込むとともに、該識別情報と該配線または配管の前記ルート情報を関連付けて記憶するステップ、
ハンディターミナルが、前記ＩＣタグから前記識別情報を読み取って、該識別情報に関連付けられたルート情報に基づいて、前記分割図面上に前記分割された領域による前記配線または配管の経路を表示するステップ、
を実行することを特徴とする配線配管管理方法。
【００８３】
（付記５）
コンピュータが、ハンディターミナルから前記ＩＣタグを識別する情報と該識別情報に関連付けられたルート情報を読み込んで記憶するステップ
を更に実行することを特徴とする付記４に記載の配線配管管理方法。
【００８４】
（付記６）
配線または配管の敷設状態を表示した図面を管理し、前記配線または配管の敷設状態を表示した図面を複数の領域に分割して分割図面を作成し、前記配線または配管が通っている前記分割された領域の識別情報により該配線または配管の経路を示すルート情報を作成するコンピュータと、
前記分割図面およびルート情報を前記コンピュータから取り込み、前記配線、配管、前記配線または配管が接続された設備に取り付けられたＩＣタグに、該配線または配管の前記ルート情報を書き込む一方、前記ＩＣタグに書き込まれた情報を読み取って、前記ルート情報に基づいて、前記分割図面上に前記分割された領域による前記配線または配管の経路を表示するハンディターミナルと、
を備えたことを特徴とする配線配管管理システム。
【００８５】
（付記７）
前記ハンディターミナルは、前記分割図面に表示された前記配線または配管の敷設状態を指示により変更し、該変更された分割図面上で指定された前記配線または配管が通っている前記分割された領域の識別情報により該配線または配管の変更された経路を示すルート情報を作成することを特徴とする付記６に記載の配線配管管理システム。
【００８６】
（付記８）
配線または配管の敷設状態を表示した図面を管理し、前記配線または配管の敷設状態を表示した図面を複数の領域に分割して分割図面を作成し、前記配線または配管が通っている前記分割された領域の識別情報により該配線または配管の経路を示すルート情報を作成するコンピュータと、
前記分割図面およびルート情報を前記コンピュータから取り込み、前記配線、配管、前記配線または配管が接続された設備に取り付けられたＩＣタグに、該ＩＣタグを識別する情報を書き込むとともに、該識別情報と該配線または配管の前記ルート情報を関連付けて記憶する一方、前記ＩＣタグから前記識別情報を読み取って、該識別情報に関連付けられたルート情報に基づいて、前記分割図面上に前記分割された領域による前記配線または配管の経路を表示するハンディターミナルと、
を備えたことを特徴とする配線配管管理システム。
【００８７】
（付記９）
前記コンピュータが、前記ハンディターミナルから前記ＩＣタグを識別する情報と該識別情報に関連付けられたルート情報を読み込んで記憶することを特徴とする付記８に記載の配線配管管理システム。
【図面の簡単な説明】
【００８８】
【図１】本発明の第１実施形態の配線配管管理システムを示す図であり、その全体構成図である。
【図２】本実施形態の配管図の例を示す図である。
【図３】本実施形態のルート情報作成処理を説明するためのフローチャートである。
【図４】本実施形態の分割数入力画面の例を示す図である。
【図５】本実施形態の分割後の配管図の例を示す図である。
【図６】本実施形態の配管図の変更例を示す図である。
【図７】本実施形態のルート情報変更処理を説明するためのフローチャートである。
【図８】本実施形態のＲＦＩＤタグ書込処理を説明するためのフローチャートである。
【図９】本実施形態のＲＦＩＤタグ読出処理を説明するためのフローチャートである。
【図１０】本実施形態のハンディターミナル情報読込処理を説明するためのフローチャートである。
【図１１】本発明の第２実施形態の配線配管管理システムのＲＦＩＤタグ読出処理を説明するためのフローチャートである。
【符号の説明】
【００８９】
１  パーソナルコンピュータ（ＰＣ）
２  ハンディターミナル
３  ＲＦＩＤタグ
【図１】
2007272508.tif 000003
【図２】
2007272508.tif 000004
【図３】
2007272508.tif 000005
【図４】
2007272508.tif 000006
【図５】
2007272508.tif 000007
【図６】
2007272508.tif 000008
【図７】
2007272508.tif 000009
【図８】
2007272508.tif 000010
【図９】
2007272508.tif 000011
【図１０】
2007272508.tif 000012
【図１１】
2007272508.tif 000013